(57)【要約】【課題】  個々の照明に適したホワイトバランス調整を簡単に行う。【解決手段】  撮影システム１０を撮影用ライト１２とデジタルカメラ１３とから構成する。撮影用ライト１２に、このライトから照射される照明光の色温度情報を記憶した無線タグ４０を設ける。デジタルカメラ１３に、無線タグ４０に記憶した色温度情報を読み取る無線タグリーダ４１を設ける。撮影開始前にデジタルカメラ１３に設けられた無線タグリーダ４１を無線タグ４０に近づけて、無線タグ４０に記憶した色温度情報を読み取る。読み取られた色温度情報を色温度データに変換してからシステムコントローラ４７に送る。システムコントローラ４７内のＷＢ調整回路５５は、生成された画像データに対して、入力された色温度データに基づきホワイトバランスの調整を行う。個々の照明に適したホワイトバランス調整を簡単に行うことができる。【選択図】        図３
2005094363.tif 000002
【特許請求の範囲】
【請求項１】
被写体を撮影して画像データを生成する撮影手段と、前記撮影手段とは異なる任意の位置から前記被写体を照明する照明手段と、前記照明手段に設けられ、この照明手段から照射される照明光の色温度情報を記憶した無線タグと、前記撮影手段に設けられ、前記無線タグ内に記録されている前記色温度情報を読み取る無線タグリーダと、読み取られた色温度情報に基づいて、生成された前記画像データのホワイトバランスを調整するホワイトバランス調整手段とから構成されること特徴する撮影システム。
【請求項２】
前記照明光の光量の大きさを切替可能にするとともに、無線タグを前記光量の大きさの切替数分だけ設け、切替可能な各光量の大きさに対応した前記色温度情報を各無線タグに個別に記憶しておくことを特徴とする請求項１記載の撮影システム。
【請求項３】
前記照明光の光量の大きさを切替可能にするとともに、前記無線タグに切替可能な各光量の大きさに対応した複数の前記色温度情報を記憶しておき、記憶された色温度情報の中から切り替えられた光量の大きさに対応する色温度情報のみを前記無線タグリーダに読み取らせることを特徴とする請求項１記載の撮影システム。
【請求項４】
前記照明光としてストロボ光を照射するストロボ装置を前記照明手段に用いることを特徴とする請求項１ないし３記載の撮影システム。
【発明の詳細な説明】
【技術分野】
【０００１】
本発明は、被写体を撮像して画像データを生成する撮像装置と、撮影装置とは異なる任意の位置から前記被写体を照明する照明装置とを備えた撮影システムに関するものである。
【背景技術】
【０００２】
近年、無線データ通信の一つの手段として安価な無線タグを利用した無線タグシステムが多く利用されている。この無線タグシステムは、無線タグとホスト側に接続される無線タグリーダとからなり、無線タグリーダから送信されるマイクロ波帯の電波を無線タグが受信して応答する。また、無線タグは、無線タグリーダとの間における電波を送受信するアンテナ、及びこのアンテナにより受信した電波を電源として動作し、予め記憶しておいた固有の情報を出力するＩＣチップから構成されている。この無線タグシステムの利用例としては、例えば、商品に無線タグを取り付けて商品管理に利用したり、または特許文献１に記載されているように、無線タグを携帯するユーザが所定の撮影エリアに入場した際に、携帯している無線タグから自動的に発信される情報に基づいて、特定のユーザを撮影する撮影システムなどに利用することができる。
【０００３】
【特許文献１】特開２００３−１１６１２７号公報（第５〜６頁）
【発明の開示】
【発明が解決しようとする課題】
【０００４】
ところで、前記特許文献１に記載されている撮影システムの撮影手段としては、撮影画像をデジタルデータとして記録できるデジタルスチルカメラやデジタルビデオカメラなどのデジタルカメラを用いることが多い。これらのデジタルカメラは、周知のように、撮影レンズの背後に配置されたＣＣＤやＣＭＯＳなどの撮像素子から出力される撮像信号を、画像データとしてメモリカードなどの記憶媒体に記録する。
【０００５】
しかしながら、デジタルカメラには、太陽光、白熱灯、蛍光灯、撮影用ライトなどの照明の違いによって記録された画像の見え方が異なるという問題がある。例えば、白熱灯のもとでは白がオレンジががって見えたり、蛍光灯のもとでは白が緑ががって見える。つまり、被写体を照明する照明光の色温度が低い場合には撮影した画像の色が見た目よりも赤みを帯びたり、逆に色温度が高い場合には青みを帯びてしまう。こういった現象は、高照度光に対する色判別能力の低い人間の視覚の性質や、色に対する先入観といった心理現象などに起因して発生する。
【０００６】
写真画像としては、白い物はどのような照明のもとでも白く写って欲しいという要求があるため、複数の光源に適した補正を自動的に行うオートホワイトバランス調整機能を備えたデジタルカメラも知られているが、全ての状況で正確にホワイトバランスを調整することは不可能である。また、ホワイトバランスは、マニュアルで調整することもできるが、その調整方法は煩雑であり、しかも調整誤差も大きくなってしまう。特に、スタジオ撮影などに用いられるスタジオ撮影用ライトは、個々にその照明光の色温度が異なっている場合が多いので、ライトを替える度にホワイトバランスの設定を再調整する必要があり、作業に手間がかかってしまう。さらに、ライトから照射される照明光の光量の大きさを変えると、その波長が変わってしまうため、色温度も変わってしまう。その結果、光量の大きさを変更する場合にもホワイトバランスを調整する必要があるため、簡単にホワイトバランスが調整できるように改善が求められていた。
【０００７】
本発明は上記問題点を解決するものであり、個々の照明に適したホワイトバランス調整を簡単に行えるようにした撮影システムを提供することを目的とする。
【課題を解決するための手段】
【０００８】
本発明の撮影システムは、被写体を撮影して画像データを生成する撮影手段と、前記撮影手段とは異なる任意の位置から前記被写体を照明する照明手段と、前記照明手段に設けられ、この照明手段から照射される照明光の色温度情報を記憶した無線タグと、前記撮影手段に設けられ、前記無線タグ内に記録されている前記色温度情報を読み取る無線タグリーダと、読み取られた色温度情報に基づいて、生成された前記画像データのホワイトバランスを調整するホワイトバランス調整手段とから構成されること特徴する。
【０００９】
また、前記照明光の光量の大きさを切替可能にするとともに、無線タグを前記光量の大きさの切替数分だけ設け、切替可能な各光量の大きさに対応した前記色温度情報を各無線タグに個別に記憶しておくことが好ましい。また、前記照明光の光量の大きさを切替可能にするとともに、前記無線タグに切替可能な各光量の大きさに対応した複数の前記色温度情報を記憶しておき、記憶された色温度情報の中から切り替えられた光量の大きさに対応する色温度情報のみを前記無線タグリーダに読み取らせることが好ましい。さらに、前記照明光としてストロボ光を照射するストロボ装置を前記照明手段に用いることが好ましい。
【発明の効果】
【００１０】
本発明の撮影システムは、撮影手段とは異なる任意の位置から被写体を照明する照明手段に設けられ、この照明手段から照射される照明光の色温度情報が記憶した無線タグと、前記撮影手段に設けられ、記憶された前記色温度情報を読み取る無線タグリーダと、読み取られた色温度情報に基づいて、前記撮影手段により生成された画像データのホワイトバランスを調整するホワイトバランス調整手段とを備えているので、煩雑なマニュアルホワイトバランス調整を行うことなく、個々の照明装置の色温度に適したホワイトバランス調整を簡単に行うことが可能となる。
【発明を実施するための最良の形態】
【００１１】
図１は、本発明を実施したスタジオ撮影用の撮影システム１０の概略図である。図１に示すように、撮影システム１０は、スタジオ内などの照度不足になる場所で被写体１１を撮影する際に、被写体１１に照明光を照射するスタジオ撮影用ライト（以下、単に撮影用ライトという）１２と、被写体１１の画像を撮影して画像データを生成するデジタルスチルカメラ（以下、単にデジタルカメラという）１３とから構成される。なお、本発明はこれらに限定されるものではない。
【００１２】
撮影用ライト１２としては、所謂スタンド式照明装置が多く用いられ、例えば被写体１１に照明光を照射する投光器１５と、この投光器１５を任意の高さに保持するスタンド１６とから構成される。なお、投光器１５から照射される照明光の光源としては、白熱電球、ハロゲン電球、蛍光灯などを用いることができるが、発熱が少なく、さらに赤外線も放出しない蛍光灯を用いることが好ましい。
【００１３】
投光器１５は、任意の形状のものを用いてよく、本実施形態では例えばスタンド１６に保持されている投光器本体１９と、投光器本体１９の前面に設けられ、蛍光灯（図示せず）が取り付けられている光源２０と、光源２０を略半球状に囲うように設けられ、光源２０から照射される照射光を反射させながら集光させる反射板２１と、投光器本体１９の背面に設けられ、前記照射光の光量の大きさを切り替える光量切替スイッチ２２とから構成される。
【００１４】
デジタルカメラ１３は、各種撮影機構が組み込まれたカメラ本体（図示せず）と、このカメラ本体を覆う本体カバー２５とから構成されている。また、このデジタルカメラ１３はスタジオ撮影に用いられるため、撮影の際にカメラを被写体方向に向けて固定する写真撮影用の三脚２６に取り付けられている。なお、本実施形態では、デジタルカメラ１３を三脚２６に取り付けて撮影を行うようにしたが、本発明はこれに限定されるものではなく、撮影者がデジタルカメラ１３をホールディングしながら撮影を行うようにしてもよい。      
【００１５】
本体カバー２５の前面には、撮影レンズ２７を保持するレンズ鏡筒２８、ストロボ発光窓２９、ファインダ対物窓３０等が設けられ、上面にはレリーズボタン３１や電源ボタン（図示せず）などが設けられている。また背面には、図２に示すように、液晶モニタ（ＬＣＤ）３３、接眼ファインダ窓３４、ズームスイッチや十字キーなどの操作キー３５が設けられ、底面には、デジタルカメラ１３を三脚２６に取り付けるための三脚穴（雌ねじ）３７が設けられている。
【００１６】
また、デジタルカメラ１３には、撮影モード、再生モード、各種設定を行うメニューモードが設けられており、各動作モードは操作キー３５を操作することによって切り替えることができる。撮影者はこれらの各動作モードを切り替えながら、撮影モードにおいて撮影を行ったり、再生モードにおいて撮影済みの画像を確認することができる。
【００１７】
本実施形態の撮影システム１０では、撮影用ライト１２は１種類しか設けられていないが、当然のことながら、撮影する被写体１１の種類や、どのような画像を得たいかによって使用する撮影用ライト１２の種類を切り替えている。そして、使用する撮影用ライト１２の種類を切り替えた場合には、上述したように、被写体１１に照射される照明光の色温度が変わってしまうため、撮影用ライト１２の種類を切り替える度にデジタルカメラ１３のホワイトバランスを再調整する必要がある。さらに、ホワイトバランスを再調整する際に、デジタルカメラ１３がオートホワイトバランス（ＡＷＢ）機能を有していた場合には、その機能を用いてホワイトバランスを大まかに調整することは可能であるが、全ての撮影用ライト１２に対応して正確にホワイトバランスを調整することは不可能である。また、マニュアルでホワイトバランスを調整した場合には、調整作業に非常に手間がかかってしまう。そのため、本実施形態では、各撮影用ライト１２の色温度情報を予め測定して記憶させておくとともに、撮影用ライト１２の種類を切り替えた場合には、この記憶された色温度情報に基づき、デジタルカメラ１３のホワイトバランス調整を行う。
【００１８】
色温度情報を記憶する記憶手段としては、撮影用ライト１２に取り付けられるように小型、且つ記録された情報を読み取り易いものが好ましい。そのため、本実施形態では、図１に示すように前記記憶手段として無線タグ４０を撮影用ライト１２の投光器本体１９の表面上に設けるとともに、この無線タグ４０に撮影用ライト１２の色温度情報を記憶しておく。なお、撮影用ライト１２から照射される照明光の光量の大きさは、光量切替スイッチ２２を用いて切り替えることができるが、撮影に使用する光量の大きさは所定の値に決められている場合が多いため、本実施形態では、その値のみを無線タグ４０に記憶させおく。また、無線タグ４０を設ける場所は投光器本体１９に限定されるものではなく、例えばスタンド１６などに設けてもよい。
【００１９】
無線タグ２６は、周知のように、電磁波を媒体にして交信可能な小型の非接触型ＩＣメモリであり、図示は省略するが情報を記憶するＩＣメモリチップと、このＩＣメモリチップに外部から無線によりアクセスできるように電磁波を送受信するアンテナ部とから構成される。無線タグは、無線により各種の認証を行うＲＦＩＤ（Radio Frequency Identification）システムの構成要素として広く普及しつつあり、ＲＦＩＤタグや電子荷札などとも呼ばれる。この無線タグのサイズは、数ｍｍ四方程度の大きさで、厚みはコンマ数ｍｍ程度であるため、投光器本体１９の表面上に取り付けても邪魔にはならない。
【００２０】
デジタルカメラ１３には、無線タグ４０と交信して無線タグ内の情報を読み取る読取手段として、図２に示すように無線タグリーダ４１が前記三脚穴３７の内部に設けられている。従って、デジタルカメラ１３の三脚穴３７を無線タグ４０に近づけることで、無線タグリーダ４１は無線タグ４０内に記録されている色温度情報を読み取ることができる。なお、本実施形態では、無線タグリーダ４１は三脚穴３７の内部に設けれているが、これに限定されるものではなく、例えば本体カバー２５上の任意の箇所に設けてもよい。
【００２１】
無線タグ４０と無線タグリーダ４１との間の通信方式としては、マイクロ波型、電磁誘導型など各種の方式がある。無線タグの交信可能距離は、通信方式や電磁波の強弱によって異なるが、おおよそ数ｍｍ程度〜数十センチ程度の範囲である。ＩＣメモリチップとしては、記憶保持動作に給電が不要な不揮発性メモリが使用される。ＩＣメモリチップに書き込まれた情報を読み取る場合など、無線タグ４０を動作させるための電力は、このタグ内の情報を読み取る無線タグリーダ４１側から送信される電磁波をキャリアとして供給される。なお、本実施形態では、デジタルカメラ１３の消費電力を抑えるために、デジタルカメラ１３の前記動作モードが撮影モードのときにのみ、無線タグリーダ４１から電磁波を送信する。
【００２２】
次に、撮影システム１０の電気的な構成を図３に示したブロック図を用いて説明する。図３に示すようにデジタルカメラ１３には、上述した撮影レンズ２７、ストロボ発光窓２９（図３には図示せず）、ＬＣＤ３３、操作キー３５、無線タグリーダ４１の他に、ＣＣＤイメージセンサ（以下、単にＣＣＤという）４５、Ａ／Ｄ変換器４６、システムコントローラ４７、ＲＯＭ４８、ＲＡＭ４９、メモリカード５０などが設けられている。
【００２３】
撮影レンズ２７の後方に配置されたＣＣＤ４５は、レリーズボタン３１（図１参照）が押下されたときに、その受光面に結像した画像をアナログ撮像信号に変換する。このアナログ撮像信号は、Ａ／Ｄ変換器４６によりデジタルな画像データに変換される。なお、この画像データは、各画素毎にＲ、Ｇ、Ｂの濃度を示す信号を持つＣＣＤーＲＡＷデータである。なお、ＣＣＤ４５は、レリーズボタン３１が押下されたときに、メモリカード５０へ記録する本画像データとともに、撮影直後に画像をＬＣＤ３３に自動再生表示するための再生表示用画像データの撮り込みを行う。再生表示用画像データは、後述する信号処理回路５２で簡単な画像処理が施された後、ＬＣＤ３３に数秒間表示される。
【００２４】
システムコントローラ４７は、操作キー３５からの入力信号に基づいてデジタルカメラ１３の各部を制御する。また、システムコントローラ４７は、信号処理回路５２、画像圧縮回路５３等を備えており、撮影画像データに対して各種の画像補正処理を施す。さらに、システムコントローラ４７には、無線タグリーダ４１、ＲＯＭ４８、ＲＡＭ４９、メモリカード５０（メモリＩＦ及びカードスロットは図示を省略する）等が接続されている。      
【００２５】
ＲＯＭ４８には、各種制御用のプログラムや設定情報などが記録されている。システムコントローラ４７は、これらの情報をＲＯＭ４８から作業用メモリであるＲＡＭ４９に読み出して各種の処理を実行する。また、ＲＡＭ４９には、Ａ／Ｄ変換器４６によりデジタル化された画像データが一旦記憶される。
【００２６】
信号処理回路５２には、ＲＡＭ４９に記憶された画像データに対して、ホワイトバランスの調整を行うホワイトバランス調整回路（以下、単にＷＢ調整回路という）５５の他に、図示は省略するがγ補正、シャープネス補正などを施す各種処理回路が設けられている。本実施形態では、ＷＢ調整回路５５は無線タグリーダ４０内に記憶されている色温度情報に基づいてホワイトバランスの調整を行う。そのため、ホワイトバランスの調整を行う際には、まず、無線タグリーダ４１を用いて無線タグ４０内の色温度情報を読み取る。読み取られた色温度情報は、図示しないＡ／Ｄ変換器により色温度データにデジタル化されてからシステムコントローラ４７に入力される。そして、ＷＢ調整回路５５は、入力された色温度データに基づき、ＲＡＭ４９に記憶されている画像データの各色成分（Ｒ、Ｇ、Ｂ）に対してゲイン調整を行い、この画像データのホワイトバランスを調整する。
【００２７】
なお、ＷＢ調整回路５５が上述のＡＷＢ機能を有している場合には、取得された画像データや外部センサ（図示せず）などから照明光の色温度を推定し、この推定した結果に基づいてホワイトバランスを調整することもできるが、無線タグリーダ４１を介して色温度データが入力されたときには、このＡＷＢ機能はキャンセルされて、前記色温度データに基づいてホワイトバランスの調整が行われる。
【００２８】
信号処理回路５２は、ホワイトバランス調整などの各種処理を施した後、ＲＧＢで表される画像データを輝度データＹと色差データＣｒ，Ｃｂとに変換するＹＣ処理を施す。画像圧縮回路５３は、この変換された画像データに対して、所定の圧縮形式（例えばＪＰＥＧ形式）で画像圧縮を施す。圧縮された画像データは前記メモリＩＦ等を経由してメモリカード５０に記録される。
【００２９】
次に本実施形態の作用について図４を用いて説明する。撮影システム１０を用いて被写体１１（図１参照）を撮影する際には、撮影者は、最初に撮影用ライト１２の電源をオンにするとともに、このライトから照射される照明光の光量の大きさを撮影に使用する大きさに調整する。次いで、撮影者はデジタルカメラ１３の電源をオンにするとともに、操作キー３５を操作してカメラの動作モードを撮影モードに設定する。そして、デジタルカメラ１３の三脚穴３７を撮影用ライト１２に設けられた無線タグ４０に近づけて、この三脚穴３７の内部に設けられた無線タグリーダ４１と無線タグ４０との距離が数ｍｍ程度〜数十センチになるようにする。
【００３０】
無線タグ４０が無線タグリーダ４１との交信可能域内に入ると、無線タグリーダ４１側から送信される電磁波をキャリアとして無線タグ４０が動作を開始する。そして、無線タグ４０は、前記ＩＣメモリチップに予め記憶された撮影用ライト１２の色温度情報を前記アンテナ部から発信する。これにより、無線タグリーダ４１は、無線タグ４０内に記憶されている色温度情報を読み取ることができる。読み取られた色温度情報は、色温度データにデジタル化された後に、システムコントローラ４７に入力される。
【００３１】
システムコントローラ４７内のＷＢ調整回路５５は、入力された色温度データに基づき、ホワイトバランスの調整を行う。ホワイトバランスの調整が完了したら、撮影者は必要に応じてデジタルカメラ１３を三脚２６に固定して撮影を開始する。フレーミングの後、レリーズボタンが押下されると、ＣＣＤ４５によってアナログ撮像信号が取り込まれる。取り込まれたアナログ撮像信号は、Ａ／Ｄ変換器１８により画像データにデジタル変換されて、ＲＡＭ２４に一旦記憶される。ＷＢ調整回路５５は、入力された色温度データに基づき、ＲＡＭ４９に記憶されている画像データの各色成分（Ｒ、Ｇ、Ｂ）に対してゲイン調整を行い、この画像データのホワイトバランスを調整する。これにより、煩雑なマニュアルホワイトバランス調整を行うことなく、個々の撮影用ライト１２の色温度に適したホワイトバランス調整を行うことが可能となる。なお、この撮影用ライト下での撮影が終了し、使用する撮影用ライト１２の種類を切り替えて再度撮影を行う場合には上述の処理を繰り返して行えばよい。
【００３２】
なお、本実施形態では、写真撮影時に使用する照明光の光量を所定の大きさに固定したが、本発明はこれに限定されるものではなく、前記光量切替スイッチ２２（図１参照）を用いて照明光の光量の大きさを任意に切り替えてもよい。光量の大きさを切り替えた場合には、上述したように、その波長も切り替ってしまうため、照明光の色温度が変わってしまう。このような光量の大きさの切替に伴う色温度の変化に対応する方法として、例えば、無線タグ４０を光量の大きさの切替数分だけ設け、切替可能な各光量の大きさに対応する色温度情報を個別に無線タグ４０に記憶させておけばよい。この対応例を図５に示す。図５は図１に記載されている光量切替スイッチ２２を正面から見た概略図である。
【００３３】
図５に示すように、光量切替スイッチ２２は、投光器本体１９の背面に設けられたダイヤル型のスイッチであり、周方向に回動するダイヤルスイッチ６０と光量切替用のつまみ６１とが一体に形成されている。このダイヤルスイッチ６０には、例えば目盛り６２ａ、目盛り６２ｂ、目盛り６２ｃの３つの目盛りが設けられ、投光器本体１９の背面には指標目盛り６３が設けられている。撮影者がつまみ６１を用いてダイヤルスイッチ６０を回動させて、各目盛り６２ａ，６２ｂ，６２ｃが指標目盛り６３の位置にセットされたときに、光量の大きさがそれぞれ「強」、「中」、「小」に切り替る。そのため、各目盛り６２ａ，６２ｂ，６２ｃの下側に、それぞれの光量の大きさに対応する色温度情報を記憶した無線タグ４０ａ、無線タグ４０ｂ、無線タグ４０ｃを設ける。また、例えば無線タグ４０ａに記録された色温度情報を読み取る際に、隣の無線タグ４０ｂの色温度情報を読み取ってしまうことを防止するために、ダイヤルスイッチ６０を覆うようにカバー部材６５を設ける。次いで、このカバー部材６５に、指標目盛り６３の位置にセットされた無線タグの色温度情報のみを読み取れるように、測定窓６５ａを指標目盛り６３の位置に形成しておけばよい。これにより、照明光の光量の大きさを切り替えたときは、再度切り替えられた光量に対応する色温度情報を無線タグリーダ４１に読み取られせればよい。
【００３４】
また、無線タグ４０を前記切替数分だけ設ける代わりに、切替可能な各光量の大きさに対応した複数の色温度情報を記憶し、さらに、これらの色温度情報の中から切り替えられた光量の大きさに対応する色温度情報のみを送信する機能を備えた無線タグを使用してもよい。この無線タグを使用する場合には、例えば、前記ダイヤルスイッチ６０（図５参照）に設けられた各目盛り６２ａ，６２ｂ，６２ｃの光量の大きさに対応した３種類の色温度情報を記憶させておく。そして、ダイヤルスイッチ６０を切り替えに対応して、切り替えられた光量の大きさに対応する色温度情報のみを送信させるようにしておく。これにより、各目盛り６２ａ，６２ｂ，６２ｃが指標目盛り６３の位置にセットされたときに、無線タグは対応する色温度情報のみを送信することができる。その結果、１個の無線タグで、光量の大きさの切替に伴う色温度の変化に対応することが可能となる。
【００３５】
なお、本実施形態では、被写体１１に照明光を照射する照明装置として撮影用ライト１２を用いたが、本発明はライトに限定されるものではない。例えば、デジタルカメラ１３とは別個に設けられたストロボ装置（図示せず）を用いる場合においても、その機種が変わると照明光として照射されるストロボ光の色温度が変わってしまうため、本発明を適用することができる。従って、使用するストロボ装置に、その装置のストロボ光の色温度情報を記憶させた無線タグ４０を取り付けておくことにより、個々のストロボ装置に対応したホワイトバランス調整を簡単に行うことができる。
【００３６】
なお、本実施形態では、被写体１１の画像を撮影して画像データを生成する撮影装置としてデジタルスチルカメラを用いたが、その代わりにデジタルビデオカメラを用いてもよい。また、本発明の撮影システムはスタジオ撮影に限定されるものでなく、例えば証明写真用の撮影システムなどのデジタルカメラと、このデジタルカメラとは異なる任意の位置から被写体を照明する照明装置とを備えた各種撮影システムに適用することができる。
【図面の簡単な説明】
【００３７】
【図１】本発明を実施した撮影システムの概略図である。
【図２】同撮影システムのデジタルカメラの背面斜視図である。
【図３】同撮影システムの電気構成を示したブロック図である。
【図４】同撮影システムのホワイトバランスの調整手順を示したフロー図である。
【図５】同撮影システムの撮影用ライトの光量切替スイッチに複数の無線タグを設けた別の実施形態を示した概略図である。
【符号の説明】
【００３８】
１０  撮影システム
１１  被写体
１２  撮影用ライト
１３  デジタルカメラ
２２  光量切替スイッチ
４０  無線タグ
４１  無線タグリーダ
４７  システムコントローラ
５５  ＷＢ調整回路
【図１】
2005094363.tif 000003
【図２】
2005094363.tif 000004
【図３】
2005094363.tif 000005
【図４】
2005094363.tif 000006
【図５】
2005094363.tif 000007